(57)【要約】【課題】組み付け性を向上させることができる携帯機を提供する。【解決手段】携帯機１は、アッパケース３と共にメカニカルキー９を回転可能に支持するロアケース２に設けられ、上部２５０に挿入孔２５１を有する支持柱２５と、コイル形状を有し、支持柱２５が挿入されるスプリング４と、本体５０の下面５４から突出し、先端部５５１が挿入孔２５１に挿入された後に本体５０と共に予め定められた角度回転させられることにより支持柱２５からの抜けが規制される突出部５５を有し、スプリング４を圧縮させると共にスプリング４を捩った状態で支持柱２５に保持されるリリースボタン５と、を有する保持機構６を備えて概略構成されている。【選択図】図１
2017137639.tif 000002
【特許請求の範囲】
【請求項１】
アッパケースと共にメカニカルキーを回転可能に支持するロアケースに設けられ、上部に挿入孔を有する支持柱と、
コイル形状を有し、前記支持柱が挿入されるスプリングと、
本体の下面から突出し、先端部が前記挿入孔に挿入された後に前記本体と共に予め定められた角度回転させられることにより前記支持柱からの抜けが規制される突出部を有し、前記スプリングを圧縮させると共に前記スプリングを捩った状態で前記支持柱に保持されるリリースボタンと、
を有する保持機構を備えた携帯機。
【請求項２】
前記リリースボタンの前記突出部は、前記先端部が径方向に突出する先端突起を有し、
前記支持柱の前記挿入孔は、前記先端突起の形状に応じた挿入開口の形状を有すると共に、挿入後の前記先端突起の前記予め定められた角度の回転によって前記挿入孔の内部で前記先端突起の前記挿入孔からの抜けを規制する規制部を有する、
請求項１に記載の携帯機。
【請求項３】
前記規制部は、前記支持柱の側面に形成された側面孔を有し、前記リリースボタンの前記先端突起が前記側面孔の上面に接触することで、前記リリースボタンの前記支持柱からの抜けを規制する、
請求項２に記載の携帯機。
【請求項４】
前記規制部は、前記リリースボタンの前記先端突起が嵌る凹部を前記上面に有し、前記凹部が前記リリースボタンの前記予め定められた角度に応じた位置に形成される、
請求項３に記載の携帯機。
【請求項５】
前記スプリングは、一方の端部を内方向又は外方向に曲げて形成された第１の曲部と、他方の端部を内方向又は外方向に曲げて形成された第２の曲部と、を有し、
前記第１の曲部が内方向に曲げられている場合、前記支持柱には、前記挿入孔と接続すると共に前記第１の曲部が挿入されるスリットが形成され、
前記第１の曲部が外方向に曲げて形成されている場合、前記ロアケースには、前記第１の曲部が挿入される挿入溝が形成され、
前記リリースボタンは、前記本体の前記下面側に前記第２の曲部が挿入される溝部を有する、
請求項１乃至４のいずれか１項に記載の携帯機。
【請求項６】
前記スプリングの前記第１の曲部が前記支持柱の前記スリット、又は前記ロアケースの前記挿入溝に挿入されると共に、前記第２の曲部が前記リリースボタンの前記溝部に挿入されて前記リリースボタンが前記予め定められた角度回転し、前記スプリングを圧縮すると共に捩った状態で前記リリースボタンが前記支持柱に支持される、
請求項５に記載の携帯機。
【発明の詳細な説明】
【技術分野】
【０００１】
本発明は、携帯機に関する。
【背景技術】
【０００２】
従来の技術として、キープレートがアッパケースとロアケースに回転可能に支持されるキーユニットが知られている（例えば、特許文献１参照。）。
【０００３】
このキーユニットのロアケースとアッパケースの組み付けは、先ずロアケースの支軸にコイルばね及びリリースボタンを装着し、当該支軸をキーヘッドの支持孔に挿通させたメカニカルキーを突出位置に配置する。次に、キーヘッドのばね収容孔に収容したねじりばねの一端側係合部を係止孔に挿入した状態で、アッパケースの支持筒部を支軸に嵌めて連結しつつ、ばね係合位置にアッパケースを配置し、外力を加えない自然な状態にあるねじりばねの他端の係合部をばね係止部に挿入させる。
【０００４】
そしてコイルばねで付勢された状態にあるキーヘッドに当接したアッパケースを、コイルばねのばね力に対抗するようにして押さえつつ、締結位置まで支軸の軸線まわりに所定量回転させ、ロアケースの連結壁部にアッパケースの連結壁部を当接させてロアケースとアッパケースの締結が行われる。
【先行技術文献】
【特許文献】
【０００５】
【特許文献１】特開２００７−２５５０１４号公報
【発明の概要】
【発明が解決しようとする課題】
【０００６】
しかし従来のキーユニットは、上述のように、アッパケースをコイルばねのばね力に対抗して押さえながら、さらにねじりばねのばね力に対抗して締結位置まで回転させてロアケースとアッパケースを締結しなければならないので、組み付け性が良くなかった。
【０００７】
従って、本発明の目的は、組み付け性を向上させることができる携帯機を提供することにある。
【課題を解決するための手段】
【０００８】
本発明の一態様は、アッパケースと共にメカニカルキーを回転可能に支持するロアケースに設けられ、上部に挿入孔を有する支持柱と、コイル形状を有し、支持柱が挿入されるスプリングと、本体の下面から突出し、先端部が挿入孔に挿入された後に本体と共に予め定められた角度回転させられることにより支持柱からの抜けが規制される突出部を有し、スプリングを圧縮させると共にスプリングを捩った状態で支持柱に保持されるリリースボタンと、を有する保持機構を備えた携帯機を備えた携帯機を提供する。
【発明の効果】
【０００９】
本発明によれば、組み付け性を向上させることができる。
【図面の簡単な説明】
【００１０】
【図１】図１は、第１の実施の形態に係る携帯機の一例を示す展開図である。
【図２】図２（ａ）は、第１の実施の形態に係る携帯機のアッパケースの一例を示す概略図であり、図２（ｂ）は、ロアケースの一例を示す概略図であり、図２（ｃ）は、支持柱の一例を示す上面図であり、図２（ｄ）は、支持柱の図２（ｃ）のII（ｄ）-II（ｄ）線で切断した断面を矢印方向から見た一例を示す断面図であり、図２（ｅ）は、スプリングの一例を示す概略図である。
【図３】図３（ａ）は、第１の実施の形態に係る携帯機のリリースボタンの一例を示す平面図であり、図３（ｂ）は、リリースボタンの一例を示す正面図であり、図３（ｃ）は、リリースボタンの一例を示す側面図であり、図３（ｄ）は、リリースボタンの一例を示す下面図である。
【図４】図４（ａ）は、第１の実施の形態に係る携帯機のメカニカルキーの一例を示す上面図であり、図４（ｂ）は、メカニカルキーの一例を示す側面図であり、図４（ｃ）は、メカニカルキーの一例を示す下面図であり、図４（ｄ）は、メカニカルキーを収容領域に収容した一例を示す概略図である。
【図５】図５（ａ）〜図５（ｄ）は、第１の実施の形態に係る携帯機の組み付け方法の一例を示す概略図である。
【図６】図６は、第２の実施の形態に係る携帯機の一例を示す展開図である。
【図７】図７（ａ）は、第２の実施の形態に係る携帯機のロアケースの一例を示す概略図であり、図７（ｂ）は、支持柱の一例を示す上面図であり、図７（ｃ）は、支持柱の図７（ｂ）のVII（ｃ）-VII（ｃ）線で切断した断面を矢印方向から見た一例を示す断面図であり、図７（ｄ）は、スプリングの一例を示す概略図である。
【図８】図８（ａ）は、第２の実施の形態に係る携帯機のリリースボタンの斜視図の一例であり、図８（ｂ）は、リリースボタンの一例を示す平面図であり、図８（ｃ）は、リリースボタンの一例を示す正面図であり、図８（ｄ）は、リリースボタンの一例を示す側面図であり、図８（ｅ）は、リリースボタンの一例を示す下面図である。
【発明を実施するための形態】
【００１１】
（実施の形態の要約）
実施の形態に係る携帯機は、アッパケースと共にメカニカルキーを回転可能に支持するロアケースに設けられ、上部に挿入孔を有する支持柱と、コイル形状を有し、支持柱が挿入されるスプリングと、本体の下面から突出し、先端部が挿入孔に挿入された後に本体と共に予め定められた角度回転させられることにより支持柱からの抜けが規制される突出部を有し、スプリングを圧縮させると共にスプリングを捩った状態で支持柱に保持されるリリースボタンと、を有する保持機構を備えて概略構成されている。
【００１２】
この携帯機は、保持機構によってスプリングが圧縮されると共に捩れた状態で保持されているので、メカニカルキーやアッパケースの組み付け時にスプリングの弾性力に抗するための治具などを必要としない。従って携帯機は、組み付け性を向上させることができる。
【００１３】
[第１の実施の形態]
（携帯機１の概要）
図１は、第１の実施の形態に係る携帯機の一例を示す展開図である。なお、以下に記載する実施の形態に係る各図において、図形間の比率は、実際の比率とは異なる場合がある。
【００１４】
携帯機１は、例えば、車両のドアロックの施錠及び解錠、トランクの解錠、エンジンやモータなどの駆動装置の始動及び停止などに用いられる。この携帯機１は、図１に示すように、ドアロックの施錠及び解錠などをボタン１２に対するプッシュ操作で指示可能な無線機能を有している。そして携帯機１は、例えば、メカニカルキー９によるシリンダ錠の施錠及び解錠、駆動装置の始動及び停止を行うことができるように構成されている。
【００１５】
この携帯機１は、図１に示すように、アッパケース３と共にメカニカルキー９を回転可能に支持するロアケース２に設けられ、上部２５０に挿入孔２５１を有する支持柱２５と、コイル形状を有し、支持柱２５が挿入されるスプリング４と、本体５０の下面５４から突出し、先端部５５１が挿入孔２５１に挿入された後に本体５０と共に予め定められた角度回転させられることにより支持柱２５からの抜けが規制される突出部５５を有し、スプリング４を圧縮させると共にスプリング４を捩った状態で支持柱２５に保持されるリリースボタン５と、を有する保持機構６を備えて概略構成されている。
【００１６】
また携帯機１は、図１に示すように、メカニカルキー９と、基板１０と、パッキンシート１１と、ボタン１２と、トランスポンダ１３と、を備えて概略構成されている。
【００１７】
このメカニカルキー９は、キープレート７と、回転部材８と、を有し、キープレート７が回転部材８に取り付けられている。
【００１８】
（ロアケース２とアッパケース３の構成）
図２（ａ）は、第１の実施の形態に係る携帯機のアッパケースの一例を示す概略図であり、図２（ｂ）は、ロアケースの一例を示す概略図であり、図２（ｃ）は、支持柱の一例を示す上面図であり、図２（ｄ）は、支持柱の図２（ｃ）のII（ｄ）-II（ｄ）線で切断した断面を矢印方向から見た一例を示す断面図であり、図２（ｅ）は、スプリングの一例を示す概略図である。
【００１９】
ロアケース２とアッパケース３は、一例として、ＡＢＳ（Acrylonitrile-Butadiene-Styrene resin）、ＰＰＡ（Polyphthalamide）、ＰＰＳ（Polyphenilensulfide）、ＰＡ（Polyamide）などの樹脂材料によって形成される。ロアケース２及びアッパケース３は、細長い矩形状を有している。携帯機１のケース１００は、ロアケース２及びアッパケース３によって形成される。
【００２０】
ロアケース２は、例えば、図２（ｂ）に示すように、電池、及び基板１０とパッキンシート１１が一体となった部材の基板１０側を収容する収容部２０と、トランスポンダ１３を収容する収容部２１と、一方の側面部２０２に設けられ、後述するアッパケース３のキープレート収容部３２と共にキープレート７を収容するキープレート収容部２２と、他方の側面部２０３と一方の端部２０１とに形成された爪２３と、アッパケース３の結合部３４と結合する結合部２４と、他方の端部２００に設けられた支持柱２５と、回転部材８を収容する回転部材収容部２８と、を備えて概略構成されている。
【００２１】
またアッパケース３は、例えば、図２（ａ）に示すように、基板１０とパッキンシート１１が一体となった部材のパッキンシート１１側を収容する収容部３０と、一方の側面部３０２に設けられ、ロアケース２のキープレート収容部２２と共にキープレート７を収容するキープレート収容部３２と、他方の側面部３０３と一方の端部３０１とに形成され、爪２３が嵌め込まれる嵌部３３と、ロアケース２の結合部２４と結合する結合部３４と、他方の端部３００に設けられ、リリースボタン５の本体５０が挿入される貫通孔３６を有する円筒部３５と、回転部材８を収容する回転部材収容部３８と、を備えて概略構成されている。
【００２２】
ロアケース２とアッパケース３が組み付けられると、例えば、収容部２０は、収容部３０と共に基板１０及びパッキンシート１１を挟んで保持する。このアッパケース３の収容部３０には、例えば、ボタン１２に応じて円形の孔であるボタン貫通孔３１０が複数形成されている。
【００２３】
またロアケース２とアッパケース３が組み付けられると、キープレート収容部２２は、キープレート収容部３２と共にキープレート７を収容する細長い収容領域１０１を形成する。この収容領域１０１は、側面部２０２及び側面部３０２側に、キープレート７を出し入れできる開口が形成される。
【００２４】
メカニカルキー９の回転部材８は、組み付けによってロアケース２の回転部材収容部２８とアッパケース３の回転部材収容部３８とで形成される収容領域１０２に回転可能に収容される。この回転部材収容部２８には、図２（ｂ）に示すように、支持柱２５及び円形溝２６が形成されている。また回転部材収容部３８には、図２（ａ）に示すように、円筒部３５が形成されている。
【００２５】
支持柱２５は、回転部材８の回転軸となり、回転部材収容部２８から突出する台座部２５６上に形成されている。円形溝２６は、支持柱２５の周囲に扇状に形成された溝であり、キープレート７の飛び出し時の回転を規制する。
【００２６】
支持柱２５の上部２５０には、図２（ｂ）に示すように、挿入孔２５１が形成されている。この挿入孔２５１は、図２（ｃ）及び図２（ｄ）に示すように、リリースボタン５の後述する先端突起５６に応じた入口の形状を有する。そして支持柱２５は、挿入後の先端突起５６の予め定められた角度の回転によって挿入孔２５１の内部で先端突起５６の挿入孔２５１からの抜けを規制する規制部２５５を有している。
【００２７】
規制部２５５は、図２（ｄ）に示すように、支持柱２５の側面に形成された側面孔２５５ａを有し、リリースボタン５の先端突起５６が側面孔２５５ａの上面２５５ｂに接触することで、リリースボタン５の支持柱２５からの抜けを規制するように構成されている。
【００２８】
また規制部２５５は、リリースボタン５の先端突起５６が嵌る凹部２５３を上面２５５ｂに有し、凹部２５３がリリースボタン５の予め定められた角度に応じた位置に形成される。
【００２９】
具体的には、規制部２５５は、側面孔２５５ａが挿入孔２５１と通じており、少なくとも規制部２５５の上面２５５ｂとリリースボタン５の先端突起５６との接触により、先端突起５６の挿入孔２５１からの抜けを規制する。
【００３０】
また凹部２５３は、リリースボタン５の予め定められた角度の回転、つまりロアケース２とリリースボタン５との位置決めを容易にする。リリースボタン５は、スプリング４が取り付けられた支持柱２５の挿入孔２５１に挿入され回転されると、スプリング４の伸長方向の弾性力により、先端突起５６が凹部２５３に嵌まり込み、ロアケース２とリリースボタン５との位置決めがなされる。この嵌まり込みにより、先端突起５６が凹部２５３の凹部上面２５４と接触するので、位置決めと共に抜けの規制が行われる。
【００３１】
なお予め定められた角度は、一例として、挿入孔２５１に挿入された際の先端突起５６を基準として９０°である。従って凹部２５３は、図２（ｃ）の紙面において上下に細長い挿入孔２５１に対して９０°回転した側面孔２５５ａの上面２５５ｂに形成される。この凹部２５３に対向した位置には、スリット２５２が形成されている。
【００３２】
支持柱２５は、挿入孔２５１と接続すると共に後述するスプリング４の第１の曲部４１が挿入されるスリット２５２を有している。このスリット２５２は、図２（ｄ）の紙面において上下に伸びた矩形状を有する。
【００３３】
アッパケース３の円筒部３５は、アッパケース３を貫通する貫通孔３６を有すると共に、図２（ａ）の紙面において貫通孔３６を挟んで上下にわたる溝である凹部３７ａ及び凹部３７ｂを上部に有している。この凹部３７ａ及び凹部３７ｂには、後述するリリースボタン５の第１の凸部５２及び第２の凸部５３が、スプリング４の伸長方向の弾性力により嵌まり込む。
【００３４】
キープレート７が収容領域１０１に収容されている状態、及びキープレート７が収容領域１０１から出てキープレート７による操作が可能となった状態において、凹部３７ａ及び凹部３７ｂにリリースボタン５が嵌り込み、メカニカルキー９の回転が規制される。
【００３５】
（スプリング４の構成）
スプリング４は、一例として、炭素鋼、ステンレスなどの金属線をらせん状に曲げて形成される。このスプリング４は、図２（ｅ）に示すように、一方の端部を内方向に曲げて形成された第１の曲部４１と、他方の端部を内方向に曲げて形成された第２の曲部４２と、を有している。
【００３６】
スプリング４は、第１の曲部４１を支持柱２５のスリット２５２に挿入すると共に、金属線で囲まれて形成された挿入孔４０に支持柱２５を挿入してロアケース２に取り付けられる。この取り付けの段階では、スプリング４の伸長方向の弾性力、捩じり方向の弾性力は、蓄積されていない。図２（ｅ）に示す図は、この弾性力が蓄積されていない自然状態を示している。
【００３７】
第２の曲部４２は、一例として、図２（ｅ）の紙面において、反時計回りに角度θ１、角度θ２及び角度θ３の三段階に角度を変化させる。
【００３８】
角度θ１は、第２の曲部４２をリリースボタン５の後述する溝部５７に挿入した状態で、リリースボタン５の先端突起５６が支持柱２５の挿入孔２５１に挿入できるように位置合わせのために回転した際の角度である。角度θ２は、挿入孔２５１に挿入された先端突起５６を、規制部２５５の凹部２５３に挿入させるための角度である。そして角度θ３は、キープレート７がケース１００から突出した状態からケース１００に収容されるまでの角度である。
【００３９】
上述の予め定められた角度は、角度θ２である。また角度θ３は、一例として、１８０°である。角度θ１は、例えば、捩ることによる弾性力を調整するための角度である。具体的には、角度θ１は、例えば、キープレート７を収容する際の操作力やキープレート７が収容領域１０１から飛び出す際の速度、キープレート７が収容領域１０１から出てリリースボタン５の第１の凸部５２及び第２の凸部５３がアッパケース３の凹部３７ａ及び凹部３７ｂに嵌るための回転量などを調整するための角度である。
【００４０】
（リリースボタン５の構成）
図３（ａ）は、第１の実施の形態に係る携帯機のリリースボタンの一例を示す平面図であり、図３（ｂ）は、リリースボタンの一例を示す正面図であり、図３（ｃ）は、リリースボタンの一例を示す側面図であり、図３（ｄ）は、リリースボタンの一例を示す下面図である。
【００４１】
リリースボタン５は、一例として、亜鉛ダイカスト、ステンレスなどの金属材料を用いて形成される。リリースボタン５は、例えば、図３（ａ）〜図３（ｄ）に示すように、円柱形状の本体５０と、本体５０の側面から突出する第１の凸部５２及び第２の凸部５３と、本体５０の下面５４から突出した突出部５５と、突出部５５の先端部５５１に形成された先端突起５６と、突出部５５の下面５４側の端部５５０を径方向に切り欠いて形成された溝部５７と、を備えて概略構成されている。なお径方向とは、図３（ａ）の紙面において円形となる本体５０の径方向である。
【００４２】
第１の凸部５２は、本体５０の径方向に突出し、第２の凸部５３は、第１の凸部５２とは逆方向に突出している。第１の凸部５２及び第２の凸部５３は、図３（ａ）に示すように、その先端が本体５０の円周を拡大した円周に沿った形状を有している。そして第１の凸部５２及び第２の凸部５３は、図３（ａ）に示すように、本体５０の上面である操作面５１側から見て、幅が第１の凸部５２及び第２の凸部５３と同じでさらに径方向に突出する先端部５２０及び先端部５３０を有している。この先端部５２０及び先端部５３０は、図３（ｂ）及び図３（ｃ）に示すように、下面５４側が径方向に突出した形状を有している。
【００４３】
突出部５５は、図３（ｃ）及び図３（ｄ）に示すように、細長い円柱形状を有している。また突出部５５の下面５４側の端部５５０は、図３（ｃ）に示すように、細長い部分よりも半径が大きい円板形状を有している。そして突出部５５の先端部５５１には、図３（ｂ）〜図３（ｄ）に示すように、先端突起５６が形成されている。
【００４４】
端部５５０は、スプリング４の挿入孔４０が挿入される形状を有している。つまりスプリング４の第２の曲部４２がリリースボタン５の溝部５７に挿入されると、端部５５０がスプリング４の挿入孔４０に挿入された状態となる。また溝部５７は、この端部５５０を切り欠いた溝のように、径方向に１つ形成されている。なお溝部５７は、突出部５５を介して対向するように２つ形成されても良い。
【００４５】
先端突起５６は、突出部５５を中心として径方向に突出して形成されている。突出部５５の先端部５５１と先端突起５６とで形成される形状は、図２（ｃ）及び図３（ｄ）に示すように、支持柱２５の挿入孔２５１の形状に対応している。
【００４６】
リリースボタン５が予め定められた角度回転すると、リリースボタン５の溝部５７と支持柱２５のスリット２５２が対向する。つまりスプリング４の第２の曲部４２が角度（θ１＋θ２）回転し、図２（ｅ）の紙面において第１の曲部４１と第２の曲部４２の向きが一致する。このリリースボタン５の溝部５７と支持柱２５のスリット２５２が対向する状態で、メカニカルキー９がリリースボタン５に挿入され、そしてアッパケース３が取り付けられる。
【００４７】
（メカニカルキー９の構成）
図４（ａ）は、第１の実施の形態に係る携帯機のメカニカルキーの一例を示す上面図であり、図４（ｂ）は、メカニカルキーの一例を示す側面図であり、図４（ｃ）は、メカニカルキーの一例を示す下面図であり、図４（ｄ）は、メカニカルキーを収容領域に収容した一例を示す概略図である。図４（ｄ）は、説明のため、アッパケース３を取り外した状態を図示している。
【００４８】
メカニカルキー９のキープレート７は、一例として、洋白などの金属材料を用いて細長い板形状に形成されている。キープレート７には、一例として、内溝加工が施されている。
【００４９】
回転部材８は、一例として、亜鉛ダイカストなどの金属材料を用いて形成されている。この回転部材８は、図４（ａ）〜図４（ｃ）に示すように、四角柱形状を有している。
【００５０】
回転部材８には、上面８０から下面８１に貫通する貫通孔８２が形成されている。この貫通孔８２は、図４（ｃ）に示すように、リリースボタン５の本体５０に応じた円部８２０、第１の凸部５２に応じた第１の凹部８２１、及び第２の凸部５３に応じた第２の凹部８２２を有している。
【００５１】
そして回転部材８は、図４（ａ）及び図４（ｃ）に示すように、上面８０から一段下がって扇状に形成された段差部８３と、第１の凹部８２１の上面８０側で内径方向に突出するリブ８４と、第２の凹部８２２の上面８０側で内径方向に突出するリブ８５と、が形成されている。従って貫通孔８２の上部開口８２３は、下部開口８２４よりも形状が小さくなっている。
【００５２】
下面８１には、ストッパ８６が形成されている。このストッパ８６は、ロアケース２の円形溝２６に挿入され、キープレート７がケース１００から飛び出した後の位置決めのための円形溝２６の接触面２６０と接触する接触面８６０が形成されている。
【００５３】
上部開口８２３からは、リリースボタン５の本体５０の上部、第１の凸部５２、及び第２の凸部５３が突出する。リリースボタン５の本体５０の上部は、アッパケース３の貫通孔３６を貫通してアッパケース３の表面から突出する。
【００５４】
メカニカルキー９がケース１００に収容された状態、及びケース１００から飛び出した状態では、第１の凸部５２は、アッパケース３の円筒部３５の凹部３７ａに嵌り、第２の凸部５３は、凹部３７ｂに嵌っている。段差部８３には、円筒部３５の上部３５０が挿入され、円筒部３５が回転部材８の回転をガイドしている。
【００５５】
従って回転部材８は、ロアケース２の台座部２５６とアッパケース３の円筒部３５の上部３５０に挟まれて回転する。
【００５６】
（基板１０、パッキンシート１１及びボタン１２の構成）
基板１０は、例えば、プリント配線基板である。この基板１０上には、マイクロスイッチ１０ａがボタン１２に応じて配置されている。
【００５７】
パッキンシート１１は、例えば、シリコンなどの弾性を有する材料を用いて形成されている。このパッキンシート１１は、例えば、ロアケース２の収容部２０及びアッパケース３の収容部３０に挟まれて変形し、基板１０側に液体や埃などが侵入することを防止している。そしてパッキンシート１１の表面には、例えば、ボタン１２の操作感を生成するための円筒支持部１１０が形成されている。ボタン１２の操作によって円筒支持部１１０が弾性変形してマイクロスイッチ１０ａをオンする際、このマイクロスイッチ１０ａのクリック感と円筒支持部１１０の弾性変形によって操作感が生成される。
【００５８】
ボタン１２は、例えば、アッパケース３のボタン貫通孔３１０を貫通してパッキンシート１１の円筒支持部１１０に接触する突出部１２０が形成されている。この突出部１２０がパッキンシート１１を介してマイクロスイッチ１０ａをオンする。
【００５９】
（トランスポンダ１３の構成）
トランスポンダ１３は、車両からの電波を受信すると共に、認証番号などを車両に送信するように構成されている。車両は、トランスポンダ１３から送信された認証番号と記憶された認証番号を照合し、認証されると、駆動装置の始動などを実行する。
【００６０】
以下では、本実施の形態の携帯機１の組み付け方法について説明する。
【００６１】
（携帯機１の組み付け方法）
図５（ａ）〜図５（ｄ）は、第１の実施の形態に係る携帯機の組み付け方法の一例を示す概略図である。まず保持機構６の組み付けについて説明する。
【００６２】
図５（ａ）に示すように、スプリング４の第１の曲部４１と支持柱２５のスリット２５２の位置を合わせ、スプリング４の挿入孔４０に支持柱２５を挿入すると共に第１の曲部４１をスリット２５２に挿入する。
【００６３】
次に図５（ｂ）に示すように、リリースボタン５を組み付ける。具体的には、スプリング４の第２の曲部４２をリリースボタン５の溝部５７に挿入し、角度θ１、回転させてスプリング４を捩り、先端突起５６と支持柱２５の挿入孔２５１との位置を合わせる。続いて先端突起５６を、スプリング４を圧縮させながら挿入孔２５１に挿入する。
【００６４】
次に図５（ｂ）及び図５（ｃ）に示すように、挿入した状態でリリースボタン５を、さらに予め定められた角度（角度θ２）、回転させて先端突起５６を支持柱２５の凹部２５３に嵌める。リリースボタン５には、スプリング４が圧縮されていることによる弾性力が下面５４を押すように働くので、先端突起５６が規制部２５５の上面２５５ｂに接触しながら凹部２５３に嵌まり込む。
【００６５】
図５（ｃ）に示すように、保持機構６が組み付けられた状態では、スプリング４及びリリースボタン５がロアケース２に取り付けられている。この状態では、スプリング４は、圧縮されると共に捩られているが、規制部２５５によってリリースボタン５の支持柱２５からの外れと回転が規制されているので、押さえるための治具などが必要なくなり、この後の組み付けが容易となる。
【００６６】
次に図５（ｄ）に示すように、収容領域１０１から突出した状態のメカニカルキー９を保持機構６に挿入する。この挿入によって、リリースボタン５の本体５０の上部と、第１の凸部５２及び第２の凸部５３が回転部材８の上面８０から突出する。
【００６７】
次にトランスポンダ１３、基板１０及びパッキンシート１１などをロアケース２に配置してロアケース２とアッパケース３の爪２３と嵌部３３の嵌め合いを行って一体化させる。なおボタン１２は、一例として、アッパケース３に取り付けられている。
【００６８】
次にキープレート７を収容領域１０１に収容して、携帯機１の組み付けを終了する。
【００６９】
以下では、キープレート７を突出させる場合と収容する場合の携帯機１の動作の一例について説明する。まず携帯機１の収容領域１０１からキープレート７を使用可能な状態にする場合について説明する。
【００７０】
（動作）
操作者は、キープレート７を使用するため、リリースボタン５の操作面５１を押し込む。この操作によって、リリースボタン５の第１の凸部５２がアッパケース３の凹部３７ａから抜け出すと共に、第２の凸部５３が凹部３７ｂから抜け出し、さらにリリースボタン５の先端突起５６が規制部２５５の凹部２５３から抜け出す。この操作によりリリースボタン５及びメカニカルキー９は、支持柱２５に対して、つまりケース１００に対して回転可能な状態となる。
【００７１】
スプリング４が捩られていることによる復元力により、リリースボタン５が、図４（ｄ）の紙面において時計回りに回転すると共に、回転部材８及びキープレート７が時計回りに回転する。
【００７２】
そして回転部材８がおよそ１８０°回転すると、ストッパ８６の接触面８６０がロアケース２の円形溝２６の接触面２６０に接触する。この回転時には、リリースボタン５を押し下げる力が弱い場合は、リリースボタン５の押し下げ量が小さくてリリースボタン５の第１の凸部５２及び第２の凸部５３がアッパケース３の円筒部３５の上部３５０に接触しながら回転する。
【００７３】
そしてリリースボタン５の第１の凸部５２が円筒部３５の凹部３７ｂに嵌ると共に、第２の凸部５３が凹部３７ａに嵌り、さらにリリースボタン５の先端突起５６が規制部２５５の凹部２５３に嵌って、キープレート７が突出した状態が保持される。
【００７４】
続いて、操作者がキープレート７を収容するため、リリースボタン５を押しながら、キープレート７を収容領域１０１に収容する場合について説明する。
【００７５】
操作者がリリースボタン５を押し込むと、リリースボタン５の第１の凸部５２がアッパケース３の凹部３７ｂから抜け出すと共に、第２の凸部５３が凹部３７ａから抜け出し、さらにリリースボタン５の先端突起５６が規制部２５５の凹部２５３から抜け出す。この操作によりリリースボタン５は、支持柱２５に対して、つまりケース１００に対して回転可能な状態となる。
【００７６】
操作者がキープレート７を収容領域１０１に収容するために回転させると、リリースボタン５及びメカニカルキー９が反時計回りに回転する。この回転によってスプリング４は、捩じられるので、弾性力を蓄積する。
【００７７】
そしてキープレート７がおよそ１８０°回転して収容領域１０１に収容される、つまりケース１００に収容されると、リリースボタン５の第１の凸部５２が円筒部３５の凹部３７ａに嵌ると共に、第２の凸部５３が凹部３７ｂに嵌り、さらにリリースボタン５の先端突起５６が規制部２５５の凹部２５３に嵌って、キープレート７が収容された状態が保持される。
【００７８】
（第１の実施の形態の効果）
本実施の形態に係る携帯機１は、組み付け性を向上させることができる。具体的には、この携帯機１は、保持機構６によってスプリング４が圧縮されると共に捩れた状態で保持されているので、メカニカルキー９やアッパケース３の組み付け時にスプリング４の弾性力に抗するための治具などを必要としない。従って携帯機１は、組み付け性を向上させることができる。
【００７９】
携帯機１の規制部２５５は、支持柱２５とリリースボタン５の位置決め用の凹部２５３を有しているので、この構成を用いない場合と比べて、支持柱２５とリリースボタン５の位置決めを容易に行うことができる。
【００８０】
[第２の実施の形態]
第２の実施の形態は、スプリングの両端部が外方向に曲げられている点で上記の実施の形態と異なっている。
【００８１】
図６は、第２の実施の形態に係る携帯機の一例を示す展開図である。図７（ａ）は、第２の実施の形態に係る携帯機のロアケースの一例を示す概略図であり、図７（ｂ）は、支持柱の一例を示す上面図であり、図７（ｃ）は、支持柱の図７（ｂ）のVII（ｃ）-VII（ｃ）線で切断した断面を矢印方向から見た一例を示す断面図であり、図７（ｄ）は、スプリングの一例を示す概略図である。なお以下に記載する実施の形態において、第１の実施の形態と同じ機能及び構成を有する部分は、第１の実施の形態と同じ符号を付し、その説明は省略するものとする。
【００８２】
この携帯機１は、図６に示すように、一方の端部を外方向に曲げて形成された第１の曲部４１ａと、他方の端部を外方向に曲げて形成された第２の曲部４２ａと、を有するスプリング４ａを有している。第１の曲部４２ａが外方向に曲げて形成されている場合、ロアケース２には、第１の曲部４２ａが挿入される挿入溝２６０ａが形成されている。
【００８３】
そして本実施の形態の保持機構６は、このスプリング４ａに応じたリリースボタン５ａ及び支持柱２５ａを有している。
【００８４】
（ロアケース２の構成）
ロアケース２の支持柱２５ａは、回転部材８の回転軸となり、回転部材収容部２８に形成されている。円形凹溝２６ａは、支持柱２５ａの周囲に形成された円形状の溝であり、スプリング４ａが挿入される。
【００８５】
この円形凹溝２６ａは、図６、図７（ａ）及び図７（ｂ）に示すように、径方向に形成された挿入溝２６０ａと繋がっている。この挿入溝２６０ａには、図７（ｄ）に示すように、スプリング４ａの第１の曲部４１ａが挿入される。
【００８６】
支持柱２５ａの上部２５０ａには、図７（ｂ）に示すように、挿入孔２５１ａが形成されている。この挿入孔２５１ａは、図７（ｂ）及び図７（ｃ）に示すように、リリースボタン５ａの後述する先端突起５６ａに応じた入口の形状を有する。そして支持柱２５ａは、挿入後の先端突起５６ａの予め定められた角度の回転によって挿入孔２５１ａの内部で先端突起５６ａの挿入孔２５１ａからの抜けを規制する規制部２５５ｃを有している。
【００８７】
規制部２５５ｃは、図７（ｃ）に示すように、支持柱２５ａの側面に形成された側面孔２５５ｄを有し、リリースボタン５ａの先端突起５６ａが側面孔２５５ｄの上面２５５ｅに接触することで、リリースボタン５ａの支持柱２５ａからの抜けを規制するように構成されている。
【００８８】
また規制部２５５ｃは、リリースボタン５ａの先端突起５６ａが嵌る凹部２５３ａを上面２５５ｅに有し、凹部２５３ａがリリースボタン５ａの予め定められた角度に応じた位置に形成される。
【００８９】
具体的には、規制部２５５ｃは、側面孔２５５ｄが挿入孔２５１ａと通じており、少なくとも規制部２５５ｃの上面２５５ｅとリリースボタン５ａの先端突起５６ａとの接触により、先端突起５６ａの挿入孔２５１ａからの抜けを規制する。
【００９０】
また凹部２５３ａは、リリースボタン５ａの予め定められた角度の回転、つまりロアケース２とリリースボタン５ａとの位置決めを容易にする。リリースボタン５ａは、スプリング４ａが取り付けられた支持柱２５ａの挿入孔２５１ａに挿入され回転されると、スプリング４ａの伸長方向の弾性力により、先端突起５６ａが凹部２５３ａに嵌まり込み、ロアケース２とリリースボタン５ａとの位置決めがなされる。この嵌まり込みにより、先端突起５６ａが凹部２５３ａの凹部上面２５４ａと接触するので、位置決めと共に抜けの規制が行われる。
【００９１】
なお予め定められた角度は、一例として、挿入孔２５１ａに挿入された際の先端突起５６ａを基準として９０°である。従って凹部２５３ａは、図７（ｂ）の紙面において上下に細長い挿入孔２５１ａに対して９０°回転した側面孔２５５ａの上面２５５ｂに形成される。
【００９２】
（スプリング４ａの構成）
スプリング４ａは、支持柱２５ａを挿入孔４０ａに挿入し、一方の端部を円形凹溝２６ａに挿入すると共に第１の曲部４１ａを挿入溝２６０ａに挿入してロアケース２に取り付けられる。この取り付けの段階では、スプリング４の伸長方向の弾性力、捩じり方向の弾性力は、蓄積されていない。図７（ｄ）に示す図は、この弾性力が蓄積されていない自然状態を示している。
【００９３】
第２の曲部４２ａは、一例として、図７（ｄ）の紙面において、反時計回りに角度θ４及び角度θ５回転する。
【００９４】
予め定められた角度である角度θ４は、挿入孔２５１ａに挿入された先端突起５６ａを、規制部２５５ｃの凹部２５３ａに挿入させるための角度である。そして角度θ５は、キープレート７がケース１００から突出した状態からケース１００に収容されるまでの角度である。
【００９５】
なお第１の実施の形態では、第１の曲部４１及び第２の曲部４２が内側に曲がり、本実施の形態では、第１の曲部４１ａ及び第２の曲部４２ａが外側に曲がっているが、これに限定されず、一方が内側に、他方が外側に曲げられていても良い。
【００９６】
（リリースボタン５ａの構成）
図８（ａ）は、第２の実施の形態に係る携帯機のリリースボタンの斜視図の一例であり、図８（ｂ）は、リリースボタンの一例を示す平面図であり、図８（ｃ）は、リリースボタンの一例を示す正面図であり、図８（ｄ）は、リリースボタンの一例を示す側面図であり、図８（ｅ）は、リリースボタンの一例を示す下面図である。
【００９７】
リリースボタン５ａは、例えば、図８（ａ）〜図８（ｅ）に示すように、円柱形状の本体５０ａと、本体５０ａの側面から突出する第１の凸部５２ａ及び第２の凸部５３ａと、本体５０ａの下面５４ａから突出した突出部５５ａと、突出部５５ａの先端部５５１ａに形成された先端突起５６ａと、を備えて概略構成されている。
【００９８】
第１の凸部５２ａは、本体５０ａの径方向に突出し、第２の凸部５３ａは、第１の凸部５２ａとは逆方向に突出している。第１の凸部５２ａ及び第２の凸部５３ａは、図８（ｂ）に示すように、その先端が本体５０ａの円周を拡大した円周に沿った形状を有している。そして第１の凸部５２ａ及び第２の凸部５３ａは、図８（ｂ）に示すように、本体５０ａの上面である操作面５１ａ側から見て、幅が第１の凸部５２ａ及び第２の凸部５３ａと同じでさらに径方向に突出する先端部５２０ａ及び先端部５３０ａを有している。この先端部５２０ａ及び先端部５３０ａは、図８（ｃ）及び図８（ｄ）に示すように、下面５４ａ側が径方向に突出した形状を有している。
【００９９】
本体５０ａと先端部５２０ａの間には、図８（ｃ）に示すように、凹部５２２が形成されている。また本体５０ａと先端部５３０ａの間には、図８（ｃ）に示すように、凹部５３２が形成されている。
【０１００】
リリースボタン５ａは、本体５０ａの下面５４ａ側に第２の曲部４２ａが挿入される溝部を有する。具体的には、先端部５２０ａには、図８（ｅ）に示すように、径方向かつ凹部５２２に繋がるように溝部５２１が形成されている。また先端部５３０ａには、図８（ｅ）に示すように、径方向かつ凹部５３２に繋がるように溝部５３１が形成されている。第２の曲部４２ａは、溝部５２１又は溝部５３１に挿入される。
【０１０１】
凹部５２２及び凹部５３２には、スプリング４ａの他方の端部が挿入される。従って下面５４ａ側の本体５０ａは、スプリング４ａの挿入孔４０ａに挿入される。
【０１０２】
突出部５５ａは、細長い円柱形状を有している。突出部５５ａの先端部５５１ａには、先端突起５６ａが形成されている。
【０１０３】
先端突起５６ａは、突出部５５ａを中心として径方向に突出して形成されている。突出部５５ａの先端部５５１ａと先端突起５６ａとで形成される形状は、図７（ａ）及び図７（ｂ）に示すように、支持柱２５ａの挿入孔２５１ａの形状に対応している。
【０１０４】
リリースボタン５ａは、支持柱２５ａにスプリング４ａが挿入された後、先端部５５１ａが支持柱２５ａの挿入孔２５１ａに挿入されると、溝部５２１又は溝部５３１にスプリング４ａの第２の曲部４２ａが挿入される。そしてリリースボタン５ａが図７（ｄ）の紙面の反時計回りに角度θ４回転すると、先端突起５６ａが支持柱２５ａの凹部２５３ａに嵌まり込み、リリースボタン５ａは、ロアケース２に取り付けられる。
【０１０５】
以下では、本実施の形態の携帯機１の組み付け方法について説明する。
【０１０６】
（携帯機１の組み付け方法）
スプリング４ａを支持柱２５ａに挿入し、第１の曲部４２ａをロアケース２の挿入溝２６０ａに挿入する。
【０１０７】
次にリリースボタン５ａの溝部５２１又は溝部５３１をスプリング４ａの第２の曲部４２ａに挿入する。続いて先端突起５６ａを、スプリング４ａを圧縮させながら挿入孔２５１ａに挿入する。
【０１０８】
次に挿入した状態でリリースボタン５ａを、さらに予め定められた角度（角度θ４）、回転させて先端突起５６ａを支持柱２５ａの凹部２５３ａに嵌める。リリースボタン５ａには、スプリング４ａが圧縮されていることによる弾性力が下面５４ａを押すように働くので、先端突起５６ａが規制部２５５ｃの上面２５５ｅに接触しながら凹部２５３ａに嵌まり込む。
【０１０９】
保持機構６が組み付けられた状態では、スプリング４ａ及びリリースボタン５ａがロアケース２に取り付けられている。この状態では、スプリング４ａは、圧縮されると共に捩られているが、規制部２５５ｃによってリリースボタン５ａの支持柱２５ａからの外れと回転が規制されているので、押さえるための治具などが必要なくなり、この後の組み付けが容易となる。
【０１１０】
そして第１の実施の形態と同様にトランスポンダ１３などを組み付けた後、ロアケース２とアッパケース３を組み付け、携帯機１の組み付けを終了する。
【０１１１】
なお本実施の形態の携帯機１の動作は、上述の第１の実施の形態と略同様である。
【０１１２】
（第２の実施の形態の効果）
本実施の形態に係る携帯機１は、保持機構６によってスプリング４ａが圧縮されると共に捩れた状態で保持されているので、メカニカルキー９やアッパケース３の組み付け時にスプリング４ａの弾性力に抗するための治具などを必要としない。従って携帯機１は、組み付け性を向上させることができる。
【０１１３】
携帯機１の規制部２５５ｃは、支持柱２５ａとリリースボタン５ａの位置決め用の凹部２５３ａを有しているので、この構成を用いない場合と比べて、支持柱２５ａとリリースボタン５ａの位置決めを容易に行うことができる。
【０１１４】
携帯機１のリリースボタン５ａは、外側に向かって曲がる第２の曲部４２ａが挿入される溝部５２１及び溝部５３１を有しているので、溝部が１つの場合と比べて、スプリング４ａとリリースボタン５ａの位置決めが容易となる。
【０１１５】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更などを行うことができる。また、これら実施の形態の中で説明した特徴の組合せの全てが発明の課題を解決するための手段に必須であるとは限らない。さらに、これら実施の形態は、発明の範囲及び要旨に含まれると共に、特許請求の範囲に記載された発明とその均等の範囲に含まれる。
【符号の説明】
【０１１６】
１…携帯機、２…ロアケース、３…アッパケース、４，４ａ…スプリング、５，５ａ…リリースボタン、６…保持機構、７…キープレート、８…回転部材、９…メカニカルキー、１０…基板、１０ａ…マイクロスイッチ、１１…パッキンシート、１２…ボタン、１３…トランスポンダ、２０…収容部、２１…収容部、２２…キープレート収容部、２３…爪、２４…結合部、２５，２５ａ…支持柱、２６…円形溝、２６ａ…円形凹溝、２８…回転部材収容部、３０…収容部、３２…キープレート収容部、３３…嵌部、３４…結合部、３５…円筒部、３６…貫通孔、３７ａ…凹部、３７ｂ…凹部、３８…回転部材収容部、４０，４０ａ…挿入孔、４１，４１ａ…第１の曲部、４２，４２ａ…第２の曲部、５０，５０ａ…本体、５１，５１ａ…操作面、５２，５２ａ…第１の凸部、５３，５３ａ…第２の凸部、５４，５４ａ…下面、５５，５５ａ…突出部、５６，５６ａ…先端突起、５７…溝部、８０…上面、８１…下面、８２…貫通孔、８３…段差部、８４，８５…リブ、８６…ストッパ、１００…ケース、１０１…収容領域、１０２…収容領域、１１０…円筒支持部、１２０…突出部、２００…端部、２０１…端部、２０２…側面部、２０３…側面部、２５０，２５０ａ…上部、２５１，２５１ａ…挿入孔、２５２…スリット、２５３，２５３ａ…凹部、２５４，２５４ａ…凹部上面、２５５…規制部、２５５ａ…側面孔、２５５ｂ…上面、２５５ｃ…規制部、２５５ｄ…側面孔、２５５ｅ…上面、２５６…台座部、２６０…接触面、２６０ａ…挿入溝、３００…端部、３０１…端部、３０２…側面部、３０３…側面部、３１０…ボタン貫通孔、３５０…上部、５２０，５２０ａ…先端部、５２１…溝部、５２２…凹部、５３０，５３０ａ…先端部、５３１…溝部、５３２…凹部、５５０…端部、５５１，５５１ａ…先端部、８２０…円部、８２１…第１の凹部、８２２…第２の凹部、８２３…上部開口、８２４…下部開口、８６０…接触面
【図１】
2017137639.tif 000003
【図２】
2017137639.tif 000004
【図３】
2017137639.tif 000005
【図４】
2017137639.tif 000006
【図５】
2017137639.tif 000007
【図６】
2017137639.tif 000008
【図７】
2017137639.tif 000009
【図８】
2017137639.tif 000010